(57)【特許請求の範囲】
【請求項１】
鉄筋の頭部に挿着する保護キャップで、垂直に露出する鉄筋の上端部が挿通する円筒状の取付部と、該取付部の上部に連成されるＣ字状の保護部とからなり、前記保護部はＣ字形の内側部分を切欠いて断面半円形状に形成し、切欠き部側の取付部の上縁部と、該上縁部の対向位置で取付部の下縁部と、該下縁部の上方延長部でＣ字形部分への移行部近傍とで鉄筋を支圧することを特徴とする鉄筋保護キャップの抜け止め方法。
【発明の詳細な説明】
【０００１】
【発明の属する技術分野】
本発明は建築現場で差筋の頭部を保護する鉄筋保護キャップの抜け止め方法に関するものである。
【０００２】
【従来の技術】
鉄筋コンクリート建物の下層側から上層側にコンクリートを打設する場合、下層側コンクリートから垂直上方に露出する差筋に添え筋を結束して型枠で囲み、型枠内にコンクリートを充填して上層側の鉄筋コンクリート構造体を形成する。この差筋は、鉄筋結束前は露出した状態にあり、その頭部を保護するために、また、作業者が転倒したり墜落したときに露出した差筋の鋭利な先端で怪我をしないように、片側の端部をステッキ状に折り曲げて、他方の直側の端部をコンクリートに埋め込んでおり、このような状態で差筋に鉄筋を添えて鉄筋同士をつないでいた。しかしながら、この差筋の端部をＵ字状（ステッキ状）に折り曲げるのは手間がかかり、加工費が高くついていた。
【０００３】
また、差筋をコンクリート面から水平に折り曲げておいて、必要になったときに折り戻す方法もあったが、この場合、折り曲げた差筋が作業者の足に絡まったり、折り戻す手間が大変であった。
【０００４】
そこで、近年は差筋の両端部を切断したままの状態で一方の端部をコンクリートに埋め込み、他方の露出した端部に鉄筋保護キャップを挿着することが提案されており、該鉄筋保護キャップは、例えば、垂直に露出する差筋の上端部が挿通される筒状体の取付部と、該取付と一体化された保護部とからなり、保護部はＵ字形（ステッキ状）に曲げ成形され、取付部の内部入口には差筋の抜け防止用の抜け止め片が複数突設してある。
【０００５】
前記抜け止め片は、差筋の周囲に形成されている突条に係止することで、保護キャップを差筋に固定するものであり、例えば、取付部を構成する筒状体の内部に内型を挿入し、外側からプレス抜き加工により切り起こして内側に突出させて形成する。これにより、抜け止め片は弾性を有して取付部の内側に突出することになり、径の異なる数種の差筋に挿着することが可能となる。
【０００６】
【発明が解決しようとする課題】
このような抜け止め片によって差筋を取付部に固定する方法では、差筋を取付部内に挿入している途中では、差筋で抜け止め片を取付部の内壁の側に押しつけることになり、抜け止め片の弾力に抗して差筋を押し込むため、作業性がよくない。
【０００７】
また、取付部に差筋が固定された状態では、抜け止め片の先端が差筋の突条の下側に当接し、これにより差筋の下方への移動を阻止することになるが、突条は差筋の周囲に段違い状態で形成されているため、抜け止め片が複数突設してあっても、突条と当接するものとはその一部である。このため、例えば抜け止め片が突条と当接する箇所が一か所のこともあり、確実に固定することが困難であった。
【０００８】
本発明の目的は前記従来例の不都合を解消し、差筋（鉄筋）の頭部に挿着する保護キャップにおいて、挿着が容易で、しかも挿着後は特に抜け止め用の片などを設けることなく確実に固定でき、作業現場で作業者が転倒したり墜落したときに露出した差筋の鋭利な先端で怪我することを確実に防止して安全性を向上でき、製造も簡単な鉄筋保護キャップの抜け止め方法を提供することにある。
【０００９】
【課題を解決するための手段】
本発明は前記目的を達成するため、鉄筋の頭部に挿着する保護キャップで、垂直に露出する鉄筋の上端部が挿通する円筒状の取付部と、該取付部の上部に連成されるＣ字状の保護部とからなり、前記保護部はＣ字形の内側部分を切欠いて断面半円形状に形成し、切欠き部側の取付部の上縁部と、該上縁部の対向位置で取付部の下縁部と、該下縁部の上方延長部でＣ字形部分への移行部近傍とで鉄筋を支圧することを要旨とするものである。
【００１０】
請求項１記載の本発明によれば、保護キャップを回転させながら該保護キャップ内に鉄筋の頭部を挿入していけば、鉄筋の突条の箇所と、突条ではない箇所とがそれぞれ切欠き部側の取付部の上縁部と、該上縁部の対向位置で取付部の下縁部とに当接し、また、同時に鉄筋の上端が前記下縁部の上方延長部でＣ字形部分への移行部近傍の箇所でキャップの内壁に当接する。よって、この状態で保護キャップは前記３か所で摩擦抵抗によって鉄筋に支持され、確実に固定される。これにより、作業現場で作業者が転倒したり墜落したときに露出した差筋の鋭利な先端で怪我することを確実に防止でき安全性が向上する。
【００１１】
【発明の実施の形態】
以下、図面について本発明の実施の形態を詳細に説明する。図１は本発明の鉄筋保護キャップの実施形態を示す鉄筋に装着した状態の縦断正面図、図２は鉄筋保護キャップの一部切欠いた正面図、図３は同上左側面図、図４は同上右側面図で、本発明の鉄筋保護キャップは、例えば鉄などの材質を用い、挿着される差筋３である異形鉄筋の直径にほぼ等しい内径を有する円筒状の取付部１と、該取付部１の上部に一体に形成した正面Ｃ字形状の保護部２とから構成される。
【００１２】
保護部２は、Ｃ字形状の内側を切欠いて切欠き部２ａとし、断面半円形状に形成する。
【００１３】
保護部２の取付部１との境界部分近傍に位置させてＣ字形の外側に補強用の縦リブ４を突設する。この縦リブ４の形成は、例えば絞り加工などにより行う。
【００１４】
また、保護部２の頂部にはコンクリート打設の際の空気抜き孔５を穿設する。
【００１５】
そして、異形鉄筋である差筋３の上部に本発明の鉄筋保護キャップを装着するには、差筋３の上部を取付部１の下方から筒状体の内部に挿入し、鉄筋保護キャップを回転させながら該鉄筋保護キャップを下方に押し込んでいく。この状態で、異形鉄筋は節３ａが突設されている部分と、ない部分とでは直径が異なり、直径方向の長さに差があるため、鉄筋保護キャップは、前記直径方向の差分だけ差筋３の軸に対して直角方向に移動しながら差筋３を押し込み、ある角度では差筋３を鉄筋保護キャップの内壁に押し付ける。
【００１６】
その結果、図１に示すように差筋３の上端が取付部１からの移行部位置近傍で保護部２の内壁に当接し（図１におけるＡ位置）、同時に、差筋３の途中が切欠き部２ａ側の取付部１の上縁部に当接し（図１におけるＢ位置）、さらに、同時にその下方箇所で差筋３の節３ａが前記Ｂ位置の対向位置で取付部１の下縁部と当接する（図１におけるＣ位置）ような位置が生じる。
【００１７】
これにより、差筋３は、Ａ，Ｂ，Ｃ位置の３か所で摩擦抵抗が大きくなり、この３点で支持され鉄筋保護キャップが差筋３に固定され、抜け出なくなる。かかる固定は、差筋３が異形鉄筋であることを利用するもので、鉄筋保護キャップを回転させながら差筋３に押し込んでいくだけでよい。この状態で差筋３の鋭利な先端が鉄筋保護キャップ内に挿着されて、該鋭利な先端が直接露出することはない。よって、作業現場で作業員が転倒したり墜落して差筋３の先端に接触しても、怪我をすることを防止できる。
【００１８】
以上にようにして差筋３の上部に鉄筋保護キャップを装着してコンクリートまたはモルタルを打設すれば、該鉄筋保護キャップは鉄筋の端部に装着したままの状態でコンクリートまたはモルタル内に埋設される。この場合、鉄筋保護キャップと差筋３との間には差筋３の径によって隙間が生じているが、この隙間の空気は保護部２の頂部に形成した空気抜き孔５から逃げるから、鉄筋保護キャップと差筋３との間の隙間にもコンクリートまたはモルタルが回り込んで完全に隙間を充填し、十分な強度を確保できる。
【００１９】
【発明の効果】
以上述べたように本発明の鉄筋保護キャップの抜け止め方法は、差筋（鉄筋）の頭部に挿着する保護キャップにおいて、差筋へ回転させながら押し込むだけでよく装着が容易で、しかも装着後は特に抜け止め用の片などを設けることなく確実に固定でき、差筋（鉄筋）の鋭利な頭部を保護キャップで確実に覆うことができ、この鋭利な頭部が直接が外部に露出することを防止できる。これにより、作業現場で作業者が転倒したり墜落したときに露出した差筋の鋭利な先端で怪我することを確実に防止でき安全性が向上し、また、製造も簡単なものである。
【図面の簡単な説明】
【図１】  本発明の鉄筋保護キャップの抜け止め方法の実施形態を示す鉄筋を挿着した状態の縦断正面図である。
【図２】  本発明の鉄筋保護キャップの抜け止め方法で使用する鉄筋保護キャップの実施形態を示す一部切欠いた正面図である。
【図３】  本発明の鉄筋保護キャップの抜け止め方法で使用する鉄筋保護キャップの実施形態を示す左側面図である。
【図４】  本発明の鉄筋保護キャップの抜け止め方法で使用する鉄筋保護キャップの実施形態を示す右側面図である。
【図５】  本発明の鉄筋保護キャップの抜け止め方法で使用する鉄筋保護キャップの実施形態を示す底面図である。
【符号の説明】
１…取付部                      ２…保護部
２ａ…切欠き部                  ３…差筋
３ａ…節                        ４…縦リブ
５…空気抜き孔
【図１】
0004718710.tif 000002
【図２】
0004718710.tif 000003
【図３】
0004718710.tif 000004
【図４】
0004718710.tif 000005
【図５】
0004718710.tif 000006